(57)【要約】【課題】  レンジフードの被取付面に対して、フィルター構造体における被取付面の手前側の取付状態の信頼性が向上するフィルター構造体及びその設置方法を提供する。【解決手段】  フィルター構造体１１は、レンジフード１で磁性体材料からなる被取付面５に取り付けられ、縁巻４０を有する第１の金属箔成形体３１と、縁巻７０を有する第２の金属箔成形体６１と、縁巻４０及び縁巻７０に脱着自在に取り付けられ、磁力による吸着力を生じさせる第１吸着手段１７とを備える。第１吸着手段１７は、第１パネル本体３５の被取付面５の手前側に位置する長辺４３ａの縁巻４０に取り付けられ、被取付面５の周囲６に吸着される。第１の金属箔成形体３１の第１パネル本体３５における被取付面５の手前側に位置する長辺４３ａの撓みが、第１吸着手段１７によって解消されるため、フィルター構造体１１における被取付面５の手前側の取付状態の信頼性が向上する。【選択図】  図１
2018103145.tif 000002
【特許請求の範囲】
【請求項１】
レンジフードにおいて、手前側から奥側に延びる略直角四角形形状を有し、少なくともその一部に前記レンジフードの吸気口に通じる通気部が設けられ、少なくともその周囲が磁性体材料からなる被取付面を覆うように取り付けられるフィルター構造体であって、
金属箔からなり、少なくとも１つの開口が形成され、その外縁に縁巻が形成されると共に、平面視矩形形状を有する第１パネル本体と、
可撓性を有するシート状の材料よりなり、前記開口を覆うようにして前記第１パネル本体の一方面に貼り付けられる第１フィルターと、
前記第１パネル本体の一対の短辺それぞれに取り付けられ、前記第１パネル本体を前記被取付面の前記周囲に固定する第１固定手段とを備える第１の金属箔成形体と、
金属箔からなり、少なくとも１つの開口が形成され、その外縁に縁巻が形成されると共に、平面視矩形形状を有する第２パネル本体と、
可撓性を有するシート状の材料よりなり、前記開口を覆うようにして前記第２パネル本体の一方面に貼り付けられる第２フィルターと、
前記第２パネル本体の一対の短辺それぞれに取り付けられ、前記第２パネル本体を前記被取付面の前記周囲に固定する第２固定手段とを備える第２の金属箔成形体と、
前記第１の金属箔成形体及び前記第２の金属箔成形体それぞれの前記縁巻に脱着自在に取り付けられ、磁力による吸着力を生じさせる少なくとも１つの吸着手段とを備え、
前記第１の金属箔成形体は、前記被取付面の手前側において、前記被取付面の幅方向と、前記第１パネル本体の長手方向とが一致するように位置付けられ、前記第１固定手段により前記被取付面の前記周囲に固定されており、
前記第２の金属箔成形体は、前記被取付面の奥側において、前記被取付面の幅方向と、前記第２パネル本体の長手方向とが一致するように位置付けられ、前記第１の金属箔成形体に重なり合った状態で、前記第２固定手段により前記被取付面の前記周囲に固定されており、
前記吸着手段のうちの第１吸着手段は、前記第１の金属箔成形体の前記第１パネル本体において、前記被取付面の手前側に位置する一方の長辺に形成されている前記縁巻に取り付けられ、前記被取付面の前記周囲に吸着されている、フィルター構造体。
【請求項２】
前記レンジフードは、前記被取付面の内方側に、磁性材料からなる整流板を更に備え、
前記吸着手段は、２つ以上備えられ、
２つ以上の前記吸着手段のうちの第２吸着手段は、前記第１の金属箔成形体の前記第１パネル本体において、前記被取付面の奥側に位置する他方の長辺に形成されている前記縁巻に取り付けられ、前記整流板に吸着されている、請求項１記載のフィルター構造体。
【請求項３】
前記吸着手段は、３つ以上備えられ、
３つ以上の前記吸着手段のうちの第３吸着手段及び第４吸着手段は、それぞれ、前記第２の金属箔成形体の前記第２パネル本体の一対の短辺に形成されている前記縁巻に取り付けられ、前記被取付面の前記周囲に吸着されている、請求項１又は請求項２記載のフィルター構造体。
【請求項４】
前記吸着手段は、２つ以上備えられ、
２つ以上の前記吸着手段のうちの第５吸着手段は、前記第２の金属箔成形体の第２パネル本体において、前記被取付面の奥側に位置する他方の長辺に形成されている前記縁巻に取り付けられ、前記被取付面の前記周囲に吸着されている、請求項１から請求項３のいずれかに記載のフィルター構造体。
【請求項５】
前記吸着手段は、
磁石と、
前記磁石に接続され、前記縁巻を保持できる抜け止め形状を有する保持体とを含む、請求項１から請求項４のいずれかに記載のフィルター構造体。
【請求項６】
前記第２吸着手段は、
磁石と、
前記磁石に接続され、前記第１の金属箔成形体の第１パネル本体の前記他方の長辺に形成されている前記縁巻を保持できる抜け止め形状を有する第１の保持体と、
前記第１の保持体に接続され、前記第２の金属箔成形体の第２パネル本体において、前記被取付面の手前側に位置する一方の長辺に形成されている前記縁巻を保持できる抜け止め形状を有する第２の保持体とを含む、請求項２記載のフィルター構造体。
【請求項７】
前記第１の金属箔成形体の前記第１パネル本体及び前記第２の金属箔成形体の前記第２パネル本体それぞれは、長手方向に伸縮可能に形成される、請求項１から請求項６のいずれかに記載のフィルター構造体。
【請求項８】
レンジフードにおいて、手前側から奥側に延びる略直角四角形形状を有し、少なくともその一部に前記レンジフードの吸気口に通じる通気部が設けられ、少なくともその周囲が磁性体材料からなる被取付面を覆うように取り付けられるフィルター構造体の設置方法であって、
金属箔からなり、少なくとも１つの開口が形成され、その外縁に縁巻が形成されると共に、平面視矩形形状を有し、長手方向に伸縮可能に形成される第１パネル本体と、可撓性を有するシート状の材料よりなり、前記開口を覆うようにして前記第１パネル本体の一方面に貼り付けられる第１フィルターと、前記第１パネル本体の一対の短辺それぞれに取り付けられ、前記第１パネル本体を前記被取付面の前記周囲に固定する第１固定手段とを備える第１の金属箔成形体を準備すると共に、金属箔からなり、少なくとも１つの開口が形成され、その外縁に縁巻が形成されると共に、平面視矩形形状を有し、長手方向に伸縮可能に形成される第２パネル本体と、可撓性を有するシート状の材料よりなり、前記開口を覆うようにして前記第２パネル本体の一方面に貼り付けられる第２フィルターと、前記第２パネル本体の一対の短辺それぞれに取り付けられ、前記第２パネル本体を前記被取付面の前記周囲に固定する第２固定手段とを備える第２の金属箔成形体を準備する準備工程と、
前記被取付面の幅長さに合わせて、前記第１の金属箔成形体の前記第１パネル本体を伸縮させる工程と、
前記伸縮させた前記第１パネル本体の一方の長辺に形成されている前記縁巻に、磁力による吸着力を生じさせる第１吸着手段を取り付ける工程と、
前記被取付面の手前側において、前記被取付面の幅方向と、前記第１パネル本体の長手方向とが一致するように位置付けて、前記第１固定手段により前記被取付面の前記周囲に、前記第１の金属箔成形体を固定する工程と、
前記第１吸着手段の磁力により前記被取付面の手前側の前記周囲に、前記第１の金属箔成形体における前記被取付面の手前側を吸着させる工程と、
前記被取付面の前記幅長さに合わせて、前記第２の金属箔成形体の前記第２パネル本体を伸縮させる工程と、
前記被取付面の奥側において、前記被取付面の幅方向と、前記第２パネル本体の長手方向とが一致するように位置付けて、前記第１の金属箔成形体に重なり合った状態で、前記第２固定手段により前記被取付面の前記周囲に、前記第２の金属箔成形体を固定する工程とを備えた、フィルター構造体の設置方法。
【請求項９】
前記レンジフードは、前記被取付面の内方側に、磁性材料からなる整流板を更に備え、
前記第１吸着手段を取り付ける工程と前記第１の金属箔成形体を固定する工程との間に、前記伸縮させた前記第１パネル本体の他方の長辺に形成されている前記縁巻に、磁力による吸着力を生じさせる第２吸着手段を取り付ける工程と、
前記第２パネル本体を伸縮させる工程の前に、前記第２吸着手段の磁力により前記整流板に、前記第１の金属箔成形体における前記被取付面の奥側を吸着させる工程とを更に含む、請求項８記載のフィルター構造体の設置方法。
【請求項１０】
前記第２の金属箔成形体の前記第２パネル本体の一対の短辺に形成されている前記縁巻に、磁力による吸着力を生じさせる第３吸着手段及び第４吸着手段それぞれを取り付ける工程と、
前記第３吸着手段の磁力及び前記第４吸着手段の磁力により前記被取付面の前記周囲に、前記第２の金属箔成形体における前記被取付面の奥行き側を吸着させる工程とを更に含む、請求項８又は請求項９記載のフィルター構造体の設置方法。
【発明の詳細な説明】
【技術分野】
【０００１】
この発明はフィルター構造体及びその設置方法に関し、特にレンジフードにおいて、その一部に吸気口に通じる通気部が設けられ、その周囲が磁性体材料からなる被取付面を覆うように取り付けられるフィルター構造体及びその設置方法に関するものである。
【背景技術】
【０００２】
図１２は、従来のフィルター構造体をレンジフードの被取付面に取り付けた状態を示す概略斜視図であり、図１３は、図１２で示したフィルター構造体を示す概略平面図であり、図１４は、図１３で示したＸＩＶ−ＸＩＶラインから見た概略拡大断面図であり、図１５は、図１３で示したフィルター構造体を長手方向に縮めた状態を示す概略平面図であり、図１６は、図１２で示したフィルター構造体をレンジフードの被取付面に取り付ける設置工程を示す概略斜視図である。
【０００３】
これらの図を参照して、従来のフィルター構造体９１は、レンジフード１において、手前側から奥側に延びる略直角四角形形状を有し、その一部にレンジフード１の図示しない吸気口に通じる通気部３が設けられ、その周囲６が磁性体材料からなる被取付面５を覆うように取り付けられる第１の金属箔成形体３１及び第２の金属箔成形体６１から構成される。
【０００４】
図１６を参照して、レンジフード１は、被取付面５の内方側に、磁性材料からなる整流板９を備えている。即ち、整流板９は、被取付面５の一部を構成している。レンジフード１の内方側で、整流板９の上方位置に、レンジフード１の図示しない吸気口が設けられている。被取付面５の周囲６と整流板９との間に、通気部３は位置している。
【０００５】
図１３を参照して、フィルター構造体９１の第１の金属箔成形体３１は、特許文献１に開示された金属箔成形体の製造方法等によって成形され、例えばアルミニウム箔の金属箔からなり、４つの開口３７が形成され、その外縁に縁巻４０が形成されると共に、平面視矩形形状を有する第１パネル本体３５と、例えば難燃性不織布からなる可撓性を有するシート状の材料よりなり、開口３７を覆うようにして第１パネル本体３５の一方面３８に貼り付けられる第１フィルター４５と、第１パネル本体３５の一対の短辺４２ａ及び４２ｂそれぞれに取り付けられ、第１パネル本体３５を被取付面５の周囲６に固定する第１固定手段５０ａ及び５０ｂとから構成される。
【０００６】
図１４を参照して、第１固定手段５０ａは、磁力により吸着力を生じさせる磁石５３と、磁石５３に接続され、第１パネル本体３５の縁巻４０を保持できる抜け止め形状を有する保持体５５とから構成される。保持体５５は、第１パネル本体３５に形成された保持用孔５９に挿通され、縁巻４０を断面視で囲って抜け止め形状となるように、機械的に成形されている。このように構成することで、第１固定手段５０ａは、囲った縁巻４０を回動軸として、実線の矢印の方向に回動自在となる。これにより、被取付面５の周囲６の形状が、二点鎖線のように第１パネル本体３５及び第１フィルター４５と同一平面上である場合のみならず、一点鎖線のように第１パネル本体３５及び第１フィルター４５と垂直な位置関係にあるような場合（レンジフード１の側面）に対しても、第１固定手段５０ａによって第１の金属箔成形体３１を固定できる。
【０００７】
図１３を参照して、第１パネル本体３５は、左方に位置するパネル部材３６ａと、右方に位置するパネル部材３６ｂとから構成されている。パネル部材３６ａとパネル部材３６ｂとは、２重に重ねて巻いた縁巻４０同士によって連結されている。これにより、第１の金属箔成形体３１の第１パネル本体３５は、実線の矢印の方向である長手方向に伸縮可能に形成される。図１３で示した第１パネル本体３５は、長手方向に最大限まで伸ばした状態である。このときの第１パネル本体３５は、長辺４３ａ及び４３ｂの幅長さＷ１で、短辺４２ａ及び４２ｂの奥行き長さＬ１である。ここでは、Ｌ１は３２ｃｍに設定されている。
【０００８】
図１５を参照して、第１パネル本体３５は、実線の矢印の方向である長手方向に最小限まで縮めた状態である。このときの第１パネル本体３５は、長辺４３ａ及び４３ｂの幅長さＷ２である。即ち、第１パネル本体３５において、長辺４３ａ及び４３ｂの幅長さＷが、最小限幅長さＷ２以上かつ最大限幅長さＷ１以下の範囲で伸縮可能である。ここでは、Ｗ１は８９．５ｃｍであり、Ｗ２は５０ｃｍに設定されている。
【０００９】
第２の金属箔成形体６１は、第１の金属箔成形体３１の構成と同一である。尚、第２の金属箔成形体６１において、開口６７、縁巻７０、第２パネル本体６５、第２フィルター７５、第２固定手段８０ａ及び８０ｂの各々は、第１の金属箔成形体３１において、開口３７、縁巻４０、第１パネル本体３５、第１フィルター４５、第１固定手段５０ａ及び５０ｂの各々に対応している。
【００１０】
図１６を参照して、フィルター構造体９１の設置方法について説明する。まず、上述したように、長手方向に伸縮可能に形成される第１パネル本体３５、第１フィルター４５、第１固定手段５０ａ及び５０ｂを備える第１の金属箔成形体を準備すると共に、長手方向に伸縮可能に形成される第２パネル本体６５、第２フィルター７５、第２固定手段８０ａ及び８０ｂを備える第２の金属箔成形体を準備する。
【００１１】
次に、被取付面５の幅長さに合わせて、破線の矢印の方向で示したように、第１の金属箔成形体３１の第１パネル本体３５を伸縮させる。
【００１２】
そして、被取付面５の手前側において、被取付面５の幅方向と、第１パネル本体３５の長手方向とが一致するように位置付けて、実線の矢印の方向へ、第１固定手段５０ａ及び５０ｂにより被取付面５の周囲６に、第１の金属箔成形体３１を固定する。
【００１３】
次に、被取付面５の幅長さに合わせて、一点鎖線の矢印の方向で示したように、第２の金属箔成形体６１の第２パネル本体６５を伸縮させる。
【００１４】
そして、被取付面５の奥側において、被取付面５の幅方向と、第２パネル本体６５の長手方向とが一致するように位置付けて、第１の金属箔成形体３１の一部に重なり合った状態で、第２固定手段８０ａ及び８０ｂにより被取付面５の周囲６に、第２の金属箔成形体６１を固定する。
【００１５】
使用に際して、図１２及び図１６を参照して、レンジフード１の図示しない吸気口の内部の図示しないファンを回転させることで、調理により発生した油分等を含んだ空気は、上述の設置方法でレンジフード１に設置したフィルター構造体９１の第１フィルター４５及び第２フィルター７５を介して、通気部３に入った後、吸気口へと吸い込まれ、外方へと排出される。
【先行技術文献】
【特許文献】
【００１６】
【特許文献１】特開２０１５−４２４０８号公報
【発明の概要】
【発明が解決しようとする課題】
【００１７】
上記のような従来のフィルター構造体９１において、第１の金属箔成形体３１は第１固定手段５０ａ及び５０ｂによって、第２の金属箔成形体６１は第２固定手段８０ａ及び８０ｂによって、被取付面５の周囲６に固定された。しかしながら、固定されていない箇所において、後述するような問題が生じる虞があった。
【００１８】
図１７は、図１２で示したフィルター構造体をレンジフードの被取付面に取り付けた状態における撓み状態を示す概略正面図である。
【００１９】
フィルター構造体９１において、第１の金属箔成形体３１の第１パネル本体３５における被取付面５の手前側に位置する長辺４３ａに撓みが生じた状態である。これにより、第１パネル本体３５の長辺４３ａに形成されている縁巻４０と、被取付面５の手前側の周囲６との間に、隙間１２１が生じている。
【００２０】
そのため、使用に際して、油分等を含んだ空気の一部が、隙間１２１を介して、図１６で示した通気部３へ入ってしまう虞があった。
【００２１】
又、レンジフード１の被取付面５の幅長さは、様々であるが、いずれの幅長さであっても撓みを生じさせないようなフィルター構造体及びその設置方法が望まれていた。
【００２２】
この発明は、上記のような課題を解決するためになされたもので、レンジフードの被取付面に対して、フィルター構造体における被取付面の手前側の取付状態の信頼性が向上するフィルター構造体、及び、設置勝手が向上するフィルター構造体の設置方法を提供することを目的とする。
【課題を解決するための手段】
【００２３】
上記の目的を達成するために、請求項１記載の発明は、レンジフードにおいて、手前側から奥側に延びる略直角四角形形状を有し、少なくともその一部にレンジフードの吸気口に通じる通気部が設けられ、少なくともその周囲が磁性体材料からなる被取付面を覆うように取り付けられるフィルター構造体であって、金属箔からなり、少なくとも１つの開口が形成され、その外縁に縁巻が形成されると共に、平面視矩形形状を有する第１パネル本体と、可撓性を有するシート状の材料よりなり、開口を覆うようにして第１パネル本体の一方面に貼り付けられる第１フィルターと、第１パネル本体の一対の短辺それぞれに取り付けられ、第１パネル本体を被取付面の周囲に固定する第１固定手段とを備える第１の金属箔成形体と、金属箔からなり、少なくとも１つの開口が形成され、その外縁に縁巻が形成されると共に、平面視矩形形状を有する第２パネル本体と、可撓性を有するシート状の材料よりなり、開口を覆うようにして第２パネル本体の一方面に貼り付けられる第２フィルターと、第２パネル本体の一対の短辺それぞれに取り付けられ、第２パネル本体を被取付面の周囲に固定する第２固定手段とを備える第２の金属箔成形体と、第１の金属箔成形体及び第２の金属箔成形体それぞれの縁巻に脱着自在に取り付けられ、磁力による吸着力を生じさせる少なくとも１つの吸着手段とを備え、第１の金属箔成形体は、被取付面の手前側において、被取付面の幅方向と、第１パネル本体の長手方向とが一致するように位置付けられ、第１固定手段により被取付面の周囲に固定されており、第２の金属箔成形体は、被取付面の奥側において、被取付面の幅方向と、第２パネル本体の長手方向とが一致するように位置付けられ、第１の金属箔成形体に重なり合った状態で、第２固定手段により被取付面の周囲に固定されており、吸着手段のうちの第１吸着手段は、第１の金属箔成形体の第１パネル本体において、被取付面の手前側に位置する一方の長辺に形成されている縁巻に取り付けられ、被取付面の周囲に吸着されているものである。
【００２４】
このように構成すると、第１の金属箔成形体の第１パネル本体における被取付面の手前側に位置する一方の長辺の撓みが、第１吸着手段によって解消される。
【００２５】
請求項２記載の発明は、請求項１記載の発明の構成において、レンジフードは、被取付面の内方側に、磁性材料からなる整流板を更に備え、吸着手段は、２つ以上備えられ、２つ以上の吸着手段のうちの第２吸着手段は、第１の金属箔成形体の第１パネル本体において、被取付面の奥側に位置する他方の長辺に形成されている縁巻に取り付けられ、整流板に吸着されているものである。
【００２６】
このように構成すると、第１の金属箔成形体の第１パネル本体における被取付面の奥側に位置する他方の長辺の撓みが、第２吸着手段によって解消される。
【００２７】
請求項３記載の発明は、請求項１又は請求項２記載の発明の構成において、吸着手段は、３つ以上備えられ、３つ以上の吸着手段のうちの第３吸着手段及び第４吸着手段は、それぞれ、第２の金属箔成形体の第２パネル本体の一対の短辺に形成されている縁巻に取り付けられ、被取付面の周囲に吸着されているものである。
【００２８】
このように構成すると、第２の金属箔成形体の第２パネル本体における被取付面の奥行き側に位置する一対の短辺の撓みが、第３吸着手段及び第４吸着手段によって解消される。
【００２９】
請求項４記載の発明は、請求項１から請求項３のいずれかに記載の発明の構成において、吸着手段は、２つ以上備えられ、２つ以上の吸着手段のうちの第５吸着手段は、第２の金属箔成形体の第２パネル本体において、被取付面の奥側に位置する他方の長辺に形成されている縁巻に取り付けられ、被取付面の周囲に吸着されているものである。
【００３０】
このように構成すると、第２の金属箔成形体の第２パネル本体における被取付面の奥側に位置する他方の長辺の撓みが、第５吸着手段によって解消される。
【００３１】
請求項５記載の発明は、請求項１から請求項４のいずれかに記載の発明の構成において、吸着手段は、磁石と、磁石に接続され、縁巻を保持できる抜け止め形状を有する保持体とを含むものである。
【００３２】
このように構成すると、磁石によって被取付面に吸着される。又、保持体によって一旦保持された縁巻は抜けにくい。
【００３３】
請求項６記載の発明は、請求項２記載の発明の構成において、第２吸着手段は、磁石と、磁石に接続され、第１の金属箔成形体の第１パネル本体の他方の長辺に形成されている縁巻を保持できる抜け止め形状を有する第１の保持体と、第１の保持体に接続され、第２の金属箔成形体の第２パネル本体において、被取付面の手前側に位置する一方の長辺に形成されている縁巻を保持できる抜け止め形状を有する第２の保持体とを含むものである。
【００３４】
このように構成すると、第２の金属箔成形体の第２パネル本体における被取付面の手前側に位置する一方の長辺の撓みが、第２吸着手段によって解消される。又、１つの第２吸着手段によって、第１の金属箔成形体と第２の金属箔成形体とを連結して保持できる。
【００３５】
請求項７記載の発明は、請求項１から請求項６のいずれかに記載の発明の構成において、第１の金属箔成形体の第１パネル本体及び第２の金属箔成形体の第２パネル本体それぞれは、長手方向に伸縮可能に形成されるものである。
【００３６】
このように構成すると、第１の金属箔成形体及び第２の金属箔成形体それぞれを伸縮させることで、レンジフードの被取付面のサイズに合わせることができる。
【００３７】
請求項８記載の発明は、レンジフードにおいて、手前側から奥側に延びる略直角四角形形状を有し、少なくともその一部にレンジフードの吸気口に通じる通気部が設けられ、少なくともその周囲が磁性体材料からなる被取付面を覆うように取り付けられるフィルター構造体の設置方法であって、金属箔からなり、少なくとも１つの開口が形成され、その外縁に縁巻が形成されると共に、平面視矩形形状を有し、長手方向に伸縮可能に形成される第１パネル本体と、可撓性を有するシート状の材料よりなり、開口を覆うようにして第１パネル本体の一方面に貼り付けられる第１フィルターと、第１パネル本体の一対の短辺それぞれに取り付けられ、第１パネル本体を被取付面の周囲に固定する第１固定手段とを備える第１の金属箔成形体を準備すると共に、金属箔からなり、少なくとも１つの開口が形成され、その外縁に縁巻が形成されると共に、平面視矩形形状を有し、長手方向に伸縮可能に形成される第２パネル本体と、可撓性を有するシート状の材料よりなり、開口を覆うようにして第２パネル本体の一方面に貼り付けられる第２フィルターと、第２パネル本体の一対の短辺それぞれに取り付けられ、第２パネル本体を被取付面の周囲に固定する第２固定手段とを備える第２の金属箔成形体を準備する準備工程と、被取付面の幅長さに合わせて、第１の金属箔成形体の第１パネル本体を伸縮させる工程と、伸縮させた第１パネル本体の一方の長辺に形成されている縁巻に、磁力による吸着力を生じさせる第１吸着手段を取り付ける工程と、被取付面の手前側において、被取付面の幅方向と、第１パネル本体の長手方向とが一致するように位置付けて、第１固定手段により被取付面の周囲に、第１の金属箔成形体を固定する工程と、第１吸着手段の磁力により被取付面の手前側の周囲に、第１の金属箔成形体における被取付面の手前側を吸着させる工程と、被取付面の幅長さに合わせて、第２の金属箔成形体の第２パネル本体を伸縮させる工程と、被取付面の奥側において、被取付面の幅方向と、第２パネル本体の長手方向とが一致するように位置付けて、第１の金属箔成形体に重なり合った状態で、第２固定手段により被取付面の周囲に、第２の金属箔成形体を固定する工程とを備えたものである。
【００３８】
このように構成すると、第１パネル本体の伸縮に合わせて、第１パネル本体の一方の長辺に形成されている縁巻の所望の位置に、第１吸着手段を取り付けることができる。
【００３９】
請求項９記載の発明は、請求項８記載の発明の構成において、レンジフードは、被取付面の内方側に、磁性材料からなる整流板を更に備え、第１吸着手段を取り付ける工程と第１の金属箔成形体を固定する工程との間に、伸縮させた第１パネル本体の他方の長辺に形成されている縁巻に、磁力による吸着力を生じさせる第２吸着手段を取り付ける工程と、第２パネル本体を伸縮させる工程の前に、第２吸着手段の磁力により整流板に、第１の金属箔成形体における被取付面の奥側を吸着させる工程とを更に含むものである。
【００４０】
このように構成すると、第１パネル本体の伸縮に合わせて、第１パネル本体の他方の長辺に形成されている縁巻の所望の位置に、第２吸着手段を取り付けることができる。
【００４１】
請求項１０記載の発明は、請求項８又は請求項９記載の発明の構成において、第２の金属箔成形体の第２パネル本体の一対の短辺に形成されている縁巻に、磁力による吸着力を生じさせる第３吸着手段及び第４吸着手段それぞれを取り付ける工程と、第３吸着手段の磁力及び第４吸着手段の磁力により被取付面の周囲に、第２の金属箔成形体における被取付面の奥行き側を吸着させる工程とを更に含むものである。
【００４２】
このように構成すると、第２パネル本体の一対の短辺に形成されている縁巻の所望の位置に、第３吸着手段及び第４吸着手段を取り付けることができる。
【発明の効果】
【００４３】
以上説明したように、請求項１記載の発明は、第１の金属箔成形体の第１パネル本体における被取付面の手前側に位置する一方の長辺の撓みが、第１吸着手段によって解消されるため、レンジフードの被取付面に対して、フィルター構造体における被取付面の手前側の取付状態の信頼性が向上する。
【００４４】
請求項２記載の発明は、請求項１記載の発明の効果に加えて、第１の金属箔成形体の第１パネル本体における被取付面の奥側に位置する他方の長辺の撓みが、第２吸着手段によって解消されるため、レンジフードの整流板に対して、フィルター構造体における被取付面の内方側の取付状態の信頼性が向上する。
【００４５】
請求項３記載の発明は、請求項１又は請求項２記載の発明の効果に加えて、第２の金属箔成形体の第２パネル本体における被取付面の奥行き側に位置する一対の短辺の撓みが、第３吸着手段及び第４吸着手段によって解消されるため、レンジフードの被取付面に対して、フィルター構造体における被取付面の奥行き側の取付状態の信頼性が向上する。
【００４６】
請求項４記載の発明は、請求項１から請求項３のいずれかに記載の発明の効果に加えて、第２の金属箔成形体の第２パネル本体における被取付面の奥側に位置する他方の長辺の撓みが、第５吸着手段によって解消されるため、レンジフードの被取付面に対して、フィルター構造体における被取付面の奥側の取付状態の信頼性が向上する。
【００４７】
請求項５記載の発明は、請求項１から請求項４のいずれかに記載の発明の効果に加えて、磁石によって被取付面に吸着されるため、フィルター構造体を被取付面に容易に取り付けることができる。又、保持体によって一旦保持された縁巻は抜けにくいため、フィルター構造体の取付状態が安定する。
【００４８】
請求項６記載の発明は、請求項２記載の発明の効果に加えて、第２の金属箔成形体の第２パネル本体における被取付面の手前側に位置する一方の長辺の撓みが、第２吸着手段によって解消されるため、レンジフードの整流板に対して、フィルター構造体における被取付面の内方側の取付状態の信頼性が更に向上する。又、１つの第２吸着手段によって、第１の金属箔成形体と第２の金属箔成形体とを連結して保持できるため、フィルター構造体の取付効率が向上する。
【００４９】
請求項７記載の発明は、請求項１から請求項６のいずれかに記載の発明の効果に加えて、第１の金属箔成形体及び第２の金属箔成形体それぞれを伸縮させることで、レンジフードの被取付面のサイズに合わせることができるため、フィルター構造体の使用勝手が向上する。
【００５０】
請求項８記載の発明は、第１パネル本体の伸縮に合わせて、第１パネル本体の一方の長辺に形成されている縁巻の所望の位置に、第１吸着手段を取り付けることができるため、レンジフードの被取付面に対して、フィルター構造体における被取付面の手前側の設置勝手が向上する。
【００５１】
請求項９記載の発明は、請求項８記載の発明の効果に加えて、第１パネル本体の伸縮に合わせて、第１パネル本体の他方の長辺に形成されている縁巻の所望の位置に、第２吸着手段を取り付けることができるため、レンジフードの整流板に対して、フィルター構造体における被取付面の内方側の設置勝手が向上する。
【００５２】
請求項１０記載の発明は、請求項８又は請求項９記載の発明の効果に加えて、第２パネル本体の一対の短辺に形成されている縁巻の所望の位置に、第３吸着手段及び第４吸着手段を取り付けることができるため、レンジフードの被取付面に対して、フィルター構造体における被取付面の奥行き側の設置勝手が向上する。
【図面の簡単な説明】
【００５３】
【図１】この発明の第１の実施の形態によるフィルター構造体をレンジフードの被取付面に取り付けた状態を示す概略斜視図であって、図１２に対応した図である。
【図２】図１で示したフィルター構造体の吸着手段を示す概略斜視図である。
【図３】図２で示したフィルター構造体の吸着手段の概略平面図である。
【図４】図２で示したフィルター構造体の吸着手段の概略右側面図である。
【図５】図３で示したＶ−Ｖラインから見た概略断面図である。
【図６】図１で示したフィルター構造体をレンジフードの被取付面に取り付ける設置工程の一部を示す概略斜視図である。
【図７】図６で示した設置工程に続くフィルター構造体の設置工程の他の一部を示す概略斜視図である。
【図８】図６の（３）で示したＶＩＩＩ−ＶＩＩＩラインから見た概略拡大端面図であって、第１吸着手段による吸着状態を示す図である。
【図９】図７の（２）で示したＩＸ−ＩＸラインから見た概略拡大端面図であって、第３吸着手段によって、（１）は２つの縁巻を保持した状態を、（２）は１つの縁巻を保持した状態を示す図である。
【図１０】図７の（２）で示したＸ−Ｘラインから見た概略拡大端面図であって、第２吸着手段による吸着状態を示す図である。
【図１１】この発明の第２の実施の形態によるフィルター構造体をレンジフードの被取付面に取り付けた状態において、第２吸着手段による吸着状態を示す概略拡大端面図であって、図１０に対応した図である。
【図１２】従来のフィルター構造体をレンジフードの被取付面に取り付けた状態を示す概略斜視図である。
【図１３】図１２で示したフィルター構造体を示す概略平面図である。
【図１４】図１３で示したＸＩＶ−ＸＩＶラインから見た概略拡大断面図である。
【図１５】図１３で示したフィルター構造体を長手方向に縮めた状態を示す概略平面図である。
【図１６】図１２で示したフィルター構造体をレンジフードの被取付面に取り付ける設置工程を示す概略斜視図である。
【図１７】図１２で示したフィルター構造体をレンジフードの被取付面に取り付けた状態における撓み状態を示す概略正面図である。
【発明を実施するための形態】
【００５４】
図１は、この発明の第１の実施の形態によるフィルター構造体をレンジフードの被取付面に取り付けた状態を示す概略斜視図であって、図１２に対応した図である。
【００５５】
尚、この第１の実施の形態によるフィルター構造体１１は、図１２で示した従来のフィルター構造体９１の構成を基礎としている。ここでは、その相違点を中心に説明する。
【００５６】
又、被取付面５及び図示しない整流板９等を含むレンジフード１は、図１２で示したレンジフード１と同一である。ここでは、説明を繰り返さない。
【００５７】
フィルター構造体１１の第１の金属箔成形体３１は、第１固定手段５０ａ及び５０ｂにより被取付面５の周囲６に固定されている。又、第２の金属箔成形体６１は、第１の金属箔成形体３１の一部に重なり合った状態で、第２固定手段８０ａ及び８０ｂにより被取付面５の周囲６に固定されている。
【００５８】
フィルター構造体１１は、第１の金属箔成形体３１の縁巻４０及び第２の金属箔成形体６１の縁巻７０に脱着自在に取り付けられ、磁力による吸着力を生じさせる吸着手段１６を備えている。
【００５９】
吸着手段１６のうちの第１吸着手段１７は、第１の金属箔成形体３１の第１パネル本体３５において、被取付面５の手前側に位置する一方の長辺４３ａに形成されている縁巻４０に取り付けられ、被取付面５の周囲６に吸着されている。このように構成することで、第１の金属箔成形体３１の第１パネル本体３５における被取付面５の手前側に位置する一方の長辺４３ａの撓みが、第１吸着手段１７によって解消されるため、レンジフード１の被取付面５に対して、フィルター構造体１１における被取付面５の手前側の取付状態の信頼性が向上する。
【００６０】
吸着手段１６のうちの第２吸着手段１８は、第１の金属箔成形体３１の第１パネル本体３５において、被取付面５の奥側に位置する他方の長辺４３ｂに形成されている縁巻４０に取り付けられ、図示しない整流板９に吸着されている。このように構成することで、第１の金属箔成形体３１の第１パネル本体３５における被取付面５の奥側に位置する他方の長辺４３ｂの撓みが、第２吸着手段１８によって解消されるため、レンジフード１の整流板９に対して、フィルター構造体１における被取付面５の内方側の取付状態の信頼性が向上する。
【００６１】
吸着手段１６のうちの第３吸着手段１９及び第４吸着手段２０は、それぞれ、第２の金属箔成形体６１の第２パネル本体６５の一対の短辺７２ａ及び７２ｂに形成されている縁巻７０に取り付けられ、被取付面５の周囲６に吸着されている。このように構成することで、第２の金属箔成形体６１の第２パネル本体６５における被取付面５の奥行き側（被取付面５において手前側と奥側とを結ぶ間にあり、幅方向に位置する側）に位置する一対の短辺７２ａ及び７２ｂの撓みが、第３吸着手段１９及び第４吸着手段２０によって解消されるため、レンジフード１の被取付面５に対して、フィルター構造体１１における被取付面５の奥行き側の取付状態の信頼性が向上する。尚、フィルター構造体１１全体としての取付状態の信頼性確保の観点から、第３吸着手段１９及び第４吸着手段２０は、それぞれ、第２の金属箔成形体６１の第２パネル本体６５の一対の短辺７２ａ及び７２ｂに形成されている縁巻７０に対して、第１の金属箔成形体３１の第１パネル本体３５の長辺４３ｂよりも手前側の位置において取り付けられることが、好ましい。
【００６２】
吸着手段１６のうちの第５吸着手段２１は、第２の金属箔成形体６１の第２パネル本体６５において、被取付面５の奥側に位置する他方の長辺７３ｂに形成されている縁巻７０に取り付けられ、被取付面５の周囲６に吸着されている。このように構成することで、第２の金属箔成形体６１の第２パネル本体６５における被取付面５の奥側に位置する他方の長辺７３ｂの撓みが、第５吸着手段２１によって解消されるため、レンジフード１の被取付面５に対して、フィルター構造体１１における被取付面５の奥側の取付状態の信頼性が向上する。
【００６３】
使用に際して、図１６と同様に、レンジフード１の図示しない吸気口の内部の図示しないファンを回転させることで、調理により発生した油分等を含んだ空気は、フィルター構造体１１の第１フィルター４５及び第２フィルター７５を介して、図示しない通気部３に入った後、吸気口へと吸い込まれ、吸気口の外へと排出される。
【００６４】
図２は、図１で示したフィルター構造体の吸着手段を示す概略斜視図であり、図３は、図２で示したフィルター構造体の吸着手段の概略平面図であり、図４は、図２で示したフィルター構造体の吸着手段の概略右側面図であり、図５は、図３で示したＶ−Ｖラインから見た概略断面図である。
【００６５】
これらの図を参照して、フィルター構造体１１における吸着手段１６は、磁力により吸着力を生じさせる磁石２３と、磁石２３に接続されたヨーク２４と、ヨーク２４に接続され、図１で示した第１の金属箔成形体３１の第１パネル本体３５の縁巻４０及び第２の金属箔成形体６１の第２パネル本体６５の縁巻７０を保持できる抜け止め形状を有する保持体２５とから構成される。ヨーク２４及び保持体２５は、磁性板金により一体的に成形されている。
【００６６】
保持体２５は、図５の二点鎖線で示したように縁巻４０及び縁巻７０を断面視で囲って抜け止め形状となるように保持することができる。尚、保持体２５の内方側のスペースは、縁巻４０及び縁巻７０の同時に保持できることが好ましいが、いずれか一方のみ保持できる大きさに形成しても良い。
【００６７】
又、保持体２５は、縁巻４０及び縁巻７０を抜け止め形状に保持する際、隙間３０を介して、内方側に保持する。このとき、保持体２５の下方側先端部が、図５の実線の矢印で示したように湾曲できるように形成されている。縁巻４０及び縁巻７０を保持後は、元の形状に戻ることで、抜け止め形状となる。
【００６８】
尚、吸着手段１６である第１吸着手段１７、第２吸着手段１８、第３吸着手段１９、第４吸着手段２０及び第５吸着手段２１は、上述した吸着手段１６と同一の形状に形成されている。
【００６９】
使用に際しては、吸着手段１６の磁石２３が露出した方向のヨーク２４と、図１で示した被取付面５の周囲６とが当接するようにして吸着させる。
【００７０】
このように構成することで、磁石２３によって被取付面５に吸着されるため、フィルター構造体１１を被取付面５に容易に取り付けることができる。又、保持体２５によって一旦保持された縁巻４０及び縁巻７０は抜けにくいため、フィルター構造体１１の取付状態が安定する。
【００７１】
図６は、図１で示したフィルター構造体をレンジフードの被取付面に取り付ける設置工程の一部を示す概略斜視図であり、図７は、図６で示した設置工程に続くフィルター構造体の設置工程の他の一部を示す概略斜視図であり、図８は、図６の（３）で示したＶＩＩＩ−ＶＩＩＩラインから見た概略拡大端面図であって、第１吸着手段による吸着状態を示す図であり、図９は、図７の（２）で示したＩＸ−ＩＸラインから見た概略拡大端面図であって、第３吸着手段によって、（１）は２つの縁巻を保持した状態を、（２）は１つの縁巻を保持した状態を示す図であり、図１０は、図７の（２）で示したＸ−Ｘラインから見た概略拡大端面図であって、第２吸着手段による吸着状態を示す図である。
【００７２】
尚、この第１の実施の形態によるフィルター構造体１１の設置方法は、図１６で示した従来のフィルター構造体９１の設置方法を基礎としている。ここでは、詳細な説明を繰り返さず、その相違点を中心に説明する。
【００７３】
図６の（１）を参照して、フィルター構造体１１の設置方法において、図１６で示したフィルター構造体９１と同様に、まず、第１の金属箔成形体を準備すると共に、第２の金属箔成形体を準備する。
【００７４】
又、図１６と同様に、被取付面５の幅長さに合わせて、破線の矢印の方向で示したように、第１の金属箔成形体３１の第１パネル本体３５を伸縮させる。ここで、第１の金属箔成形体３１の第１パネル本体３５は長手方向に伸縮可能に形成されており、第１の金属箔成形体３１を伸縮させることで、レンジフード１の被取付面５のサイズに合わせることができる。従って、フィルター構造体１１の使用勝手が向上する。
【００７５】
次に、伸縮させた第１パネル本体３５の一方の長辺４３ａに形成されている縁巻４０に、磁力による吸着力を生じさせる第１吸着手段１７を取り付ける。
【００７６】
伸縮させた第１パネル本体３５の他方の長辺４３ｂに形成されている縁巻４０に、磁力による吸着力を生じさせる第２吸着手段１８を取り付ける。
【００７７】
図６の（２）を参照して、図１６と同様に、被取付面５の手前側において、破線の矢印の方向へ、第１固定手段５０ａ及び５０ｂにより被取付面５の周囲６に、第１の金属箔成形体３１を固定する。
【００７８】
第１吸着手段１７の磁力により被取付面５の手前側の周囲６に、第１の金属箔成形体３１における被取付面５の手前側を吸着させる。
【００７９】
第２吸着手段１８の磁力により整流板９に、第１の金属箔成形体３１における被取付面５の奥側を吸着させる。
【００８０】
このようにすることで、第１パネル本体３５の伸縮に合わせて、第１パネル本体３５の一方の長辺４３ａに形成されている縁巻４０の所望の位置に、第１吸着手段１７を取り付けることができるため、レンジフード１の被取付面５に対して、フィルター構造体１１における被取付面５の手前側の設置勝手が向上する。又、第１パネル本体３５の伸縮に合わせて、第１パネル本体３５の他方の長辺４３ｂに形成されている縁巻４０の所望の位置に、第２吸着手段１８を取り付けることができるため、レンジフード１の整流板９に対して、フィルター構造体１１における被取付面５の内方側の設置勝手が向上する。
【００８１】
図６の（３）を参照して、第１の金属箔成形体３１は、レンジフード１に取り付けた状態である。図８を参照して、第１吸着手段１７がない場合には、二点鎖線で示されように、第１パネル本体３５が撓むことで、被取付面５の周囲６と縁巻４０との間の隙間を介して、実線の矢印の方向へ油分等が入り込む虞があった。しかし、第１吸着手段１７を用いることで、第１パネル本体３５の撓みが解消され、油分等が入り込みにくくなる。
【００８２】
図６の（３）を参照して、図１６と同様に、被取付面５の幅長さに合わせて、破線の矢印の方向で示したように、第２の金属箔成形体６１の第２パネル本体６５を伸縮させる。ここで、第２の金属箔成形体６１の第１パネル本体６５は長手方向に伸縮可能に形成されており、第２の金属箔成形体６１を伸縮させることで、レンジフード１の被取付面５のサイズに合わせることができる。従って、フィルター構造体１１の使用勝手が向上する。
【００８３】
伸縮させた第２パネル本体６５の他方の長辺７３ｂに形成されている縁巻７０に、磁力による吸着力を生じさせる第５吸着手段２１を取り付ける。
【００８４】
図７の（１）を参照して、図１６と同様に、被取付面５の奥側において、第１の金属箔成形体３１の一部に重なり合った状態で、第２固定手段８０ａ及び８０ｂにより被取付面５の周囲６に、第２の金属箔成形体６１を固定する。
【００８５】
第５吸着手段２１の磁力により被取付面５の奥側の周囲６に、第２の金属箔成形体６１における被取付面５の奥側を吸着させる。
【００８６】
このようにすることで、第２パネル本体６５の伸縮に合わせて、第２パネル本体６５の他方の長辺７３ｂに形成されている縁巻７０の所望の位置に、第５吸着手段２１を取り付けることができるため、レンジフード１の被取付面５に対して、フィルター構造体１１における被取付面５の奥側の設置勝手が向上する。
【００８７】
図７の（２）を参照して、第２の金属箔成形体６１の第２パネル本体６５の一対の短辺７２ａ及び７２ｂに形成されている縁巻７０に、磁力による吸着力を生じさせる第３吸着手段１９及び第４吸着手段２０それぞれを取り付ける。
【００８８】
第３吸着手段１９の磁力及び第４吸着手段２０の磁力により被取付面５の周囲６に、第２の金属箔成形体６１における被取付面５の奥行き側を吸着させる。
【００８９】
このようにすることで、第２パネル本体６５の一対の短辺７２ａ及び７２ｂに形成されている縁巻７０の所望の位置に、第３吸着手段１９及び第４吸着手段２０を取り付けることができるため、レンジフード１の被取付面５に対して、フィルター構造体１１における被取付面５の奥行き側の設置勝手が向上する。
【００９０】
図９の（１）を参照して、第４吸着手段２０の保持体２５によって、第１の金属箔成形体３１の縁巻４０と第２の金属箔成形体６１の縁巻７０とが保持されている。第４吸着手段２０がない場合には、二点鎖線で示されように、第１パネル本体３５及び第２パネル本体６５が撓むことで、被取付面５の周囲６と縁巻４０との間の隙間を介して、実線の矢印の方向へ油分等が入り込む虞があった。しかし、第４吸着手段２０を用いることで、第１パネル本体３５の撓みが解消され、油分等が入り込みにくくなる。又、１つの第４吸着手段２０のみによって、第２パネル本体６５の撓みだけでなく、第１パネル本体３５の撓みも解消される。
【００９１】
図９の（２）を参照して、図９の（１）で示した形態の変形例として、第４吸着手段２０の保持体２５によって、第２の金属箔成形体６１の縁巻７０が保持されている。第１の金属箔成形体３１の第１パネル本体３５の一部は、第２の金属箔成形体６１の第２パネル本体６５の一部の上方に位置している。又、第１の金属箔成形体３１の縁巻４０は、第２の金属箔成形体６１の縁巻７０よりも内方側に位置している。即ち、第１の金属箔成形体３１の第１パネル本体３５が、第２の金属箔成形体６１の第２パネル本体６５よりも長手方向に縮んだ状態にある。そのため、第４吸着手段２０により第２の金属箔成形体６１の縁巻７０が保持されることで、第１の金属箔成形体３１の第１パネル本体３５も保持されることになる。第４吸着手段２０がない場合には、二点鎖線で示されように、第１パネル本体３５及び第２パネル本体６５が撓むことで、被取付面５の周囲６と縁巻４０及び縁巻７０との間の隙間を介して、実線の矢印の方向へ油分等が入り込む虞があった。しかし、第４吸着手段２０を用いることで、第１パネル本体３５及び第２パネル６５の撓みが解消され、油分等が入り込みにくくなる。即ち、図９の（１）と同様の効果を奏する。
【００９２】
図１０を参照して、第２吸着手段１８の保持体２５によって、第１の金属箔成形体３１の縁巻４０が保持されている。第２吸着手段１８が整流板９に吸着された状態である。即ち、第２吸着手段１８によって、第１パネル本体３５の撓みが解消される。
【００９３】
図１１は、この発明の第２の実施の形態によるフィルター構造体をレンジフードの被取付面に取り付けた状態において、第２吸着手段による吸着状態を示す概略拡大端面図であって、図１０に対応した図である。
【００９４】
尚、この第２の実施の形態によるフィルター構造体１２は、図１で示した第１の実施の形態によるフィルター構造体１１と基本的な構成は同一である。ここでは、その相違点を中心に説明する。
【００９５】
フィルター構造体１２の第２吸着手段１８は、磁石２３と、磁石２３に接続されたヨーク２４と、ヨーク２４に接続され、第１の金属箔成形体３１の第１パネル本体３５の他方の長辺４３ｂに形成されている縁巻４０を保持できる抜け止め形状を有する第１の保持体２６と、第１の保持体２６に接続され、第２の金属箔成形体６１の第２パネル本体６５において、被取付面５の手前側に位置する一方の長辺７３ａに形成されている縁巻７０を保持できる抜け止め形状を有する第２の保持体２７とから構成される。ヨーク２４、第１の保持体２６及び第２の保持体２７は、磁性板金により一体的に成形されている。第１の保持体２６及び第２の保持体２７は、断面視略Ｓの字形状に形成されている。
【００９６】
第２吸着手段１８の第２の保持体２７がない場合には、二点鎖線で示されように、第２パネル本体６５が撓むことで、整流板９と縁巻７０との間の隙間を介して、実線の矢印の方向へ油分等が入り込む虞があった。しかし、第２保持体２７を含んで形成された第２吸着手段１８を用いることで、第２パネル本体６５の撓みが解消され、油分等が入り込みにくくなる。又、第２の金属箔成形体６１の第２パネル本体６５における被取付面５の手前側に位置する一方の長辺７３ａの撓みが、第２吸着手段１８によって解消されるため、レンジフード１の整流板９に対して、フィルター構造体１２における被取付面５の内方側の取付状態の信頼性が更に向上する。又、１つの第２吸着手段１８によって、第１の金属箔成形体３１と第２の金属箔成形体６１とを連結して保持できるため、フィルター構造体１２の取付効率が向上する。
【００９７】
尚、上記の各実施の形態では、レンジフードは、整流板を備えていたが、例えば金属フィルターを備えたブーツタイプのように整流板はなくても良い。
【００９８】
又、上記の各実施の形態では、被取付面は、整流板と被取付面の周囲との間に通気部が設けられたものであったが、少なくともその一部にレンジフードの吸気口に通じる通気部が設けられてあれば、それ以外の位置に通気部が設けられても良い。
【００９９】
更に、上記の各実施の形態では、吸着手段は、第２吸着手段、第３吸着手段、第４吸着手段及び第５吸着手段を含むものであったが、第１吸着手段を含むものであれば、それ以外はなくても良い。又は、第１吸着手段を含むか含まないかは問わず、第１吸着手段から第５吸着手段のうち他の組み合わせで構成されても良い。
【０１００】
更に、上記の各実施の形態では、吸着手段は、特定箇所に取り付けられるものであったが、例えば第１の金属箔成形体の短辺に取り付けられても良く、又は、他の箇所に取り付けられても良い。
【０１０１】
更に、上記の各実施の形態では、吸着手段は、ヨークを有するものであったが、磁石と、磁石に接続され、縁巻を保持できる抜け止め形状を有する保持体を含むものであれば、ヨークはなくても良い。
【０１０２】
更に、上記の各実施の形態では、吸着手段は、特定の構成で形成されたものであったが、第１の金属箔成形体及び第２の金属箔成形体それぞれの縁巻に脱着自在に取り付けられ、磁力による吸着力を生じさせるものであれば、それ以外の構成で形成されても良い。
【０１０３】
更に、上記の各実施の形態では、パネル本体は、特定の素材から形成されていたが、金属箔からなるものであれば、それ以外の素材から形成されても良い。又は、耐燃性及び耐熱性を有する樹脂のように金属箔以外のものから形成されても良い。
【０１０４】
更に、上記の各実施の形態では、フィルターは、特定の素材から形成されていたが、可撓性を有するシート状の材料からなるものであれば、それ以外の素材から形成されても良い。
【０１０５】
更に、上記の各実施の形態では、パネル本体は、４つの開口を有するものであったが、少なくとも１つの開口が形成されてあれば、それ以外の個数の開口を有するものであっても良い。
【０１０６】
更に、上記の各実施の形態では、パネル本体は、長手方向に伸縮可能に形成されていたが、長手方向に伸縮できないように形成されても良い。
【０１０７】
更に、上記の各実施の形態では、パネル本体は、特定のサイズに形成されたものであったが、それ以外のサイズで形成されても良い。
【０１０８】
更に、上記の各実施の形態では、第１吸着手段及び第５吸着手段は、パネル本体を被取付面に固定する前に、パネル本体に取り付けられていたが、パネル本体を被取付面に固定した後に、パネル本体に取り付けても良い。
【０１０９】
更に、上記の各実施の形態では、第３吸着手段及び第４吸着手段は、パネル本体を被取付面に固定した後に、パネル本体に取り付けられていたが、パネル本体を被取付面に固定する前に、パネル本体に取り付けても良い。
【０１１０】
更に、上記の各実施の形態では、被取付面は、被取付面の周囲が平坦形状であったが、被取付面の周囲が平坦形状でないときには、被取付面の周囲の形状に合わせて、パネル本体を所望の箇所で変形させて設置しても良い。
【０１１１】
更に、上記の各実施の形態では、フィルター構造体は、特定位置に配置されたものであったが、例えば平面視１８０度回転させたり、平面視９０度回転させたりするように、平面視において他の角度で回転させた位置に配置されても良い。
【０１１２】
更に、上記の各実施の形態では、金属箔成形体は、特定態様に配置されたものであったが、少なくとも一方について左右を入れ替えた態様で配置されても良い。又は、少なくとも一方について裏表を逆転して配置されても良い。
【０１１３】
更に、上記の各実施の形態では、吸着手段の保持体は、縁巻を保持できる抜け止め形状に形成されていたが、縁巻を抜け止め状態に保持する際に、縁巻の形状をつぶさない形状に形成されることが好ましい。このように形成することで、吸着手段を取り外した後でも、縁巻はつぶされていないので、パネル本体が伸縮可能となる。
【符号の説明】
【０１１４】
１…レンジフード
３…通気部
５…被取付面
６…周囲
９…整流板
１１、１２…フィルター構造体
１６…吸着手段
１７…第１吸着手段
１８…第２吸着手段
１９…第３吸着手段
２０…第４吸着手段
２１…第５吸着手段
２３…磁石
２５…保持体
２６…第１の保持体
２７…第２の保持体
３１…第１の金属箔成形体
３５…第１パネル本体
３７…開口
３８…一方面
４０…縁巻
４２…短辺
４３…長辺
４５…第１フィルター
５０…第１固定手段
６１…第２の金属箔成形体
６５…第２パネル本体
６７…開口
６８…一方面
７０…縁巻
７２…短辺
７３…長辺
７５…第２フィルター
８０…第２固定手段
尚、各図中同一符号は同一又は相当部分を示す。
【図１】
2018103145.tif 000003
【図２】
2018103145.tif 000004
【図３】
2018103145.tif 000005
【図４】
2018103145.tif 000006
【図５】
2018103145.tif 000007
【図６】
2018103145.tif 000008
【図７】
2018103145.tif 000009
【図８】
2018103145.tif 000010
【図９】
2018103145.tif 000011
【図１０】
2018103145.tif 000012
【図１１】
2018103145.tif 000013
【図１２】
2018103145.tif 000014
【図１３】
2018103145.tif 000015
【図１４】
2018103145.tif 000016
【図１５】
2018103145.tif 000017
【図１６】
2018103145.tif 000018
【図１７】
2018103145.tif 000019